(57)【要約】【課題】  大気汚染に関係する汚染監視項目の大気汚染状態を多面的、かつ視覚的に監視することにある。【解決手段】  プラント施設から大気汚染に関係する大気汚染関係データを取り込んで蓄積するデータ蓄積手段３３ｄと、大気汚染に関係するキーワードデータを登録するキーワード登録手段３５Ａと、複数の汚染監視項目データ及び当該各汚染監視項目データに関連する入出力関連項目データを管理する汚染関係項目データ管理テーブル３３ａ１と、この管理テーブル３３ａ１から登録された各キーワードデータと対応関係にある汚染監視項目データ及び入出力関連項目データを順次抽出する監視項目データ抽出手段３５Ｂと、この抽出された各汚染監視項目データ及び入出力関連項目データを、予め設定された初期汚染防止監視画面に所定の順序で順次登録していくことで汚染防止監視画面を作成する監視画面作成処理手段３５Ｃとを備えた環境監視支援装置である。【選択図】図１
2012168700.tif 000002
【特許請求の範囲】
【請求項１】
プラント施設から大気汚染に関係する大気汚染関係データを取り込んで蓄積するデータ蓄積手段と、
前記プラント施設から排出される大気汚染に関係するキーワードデータを登録するキーワード登録手段と、
複数の汚染監視項目データ及び当該各汚染監視項目データに関連する入出力関連項目データを記憶管理する汚染関係項目データ管理手段と、
この汚染関係項目データ管理手段から前記登録された各キーワードデータと対応関係にある汚染監視項目データ及び入出力関連項目データを順次抽出する監視項目データ抽出手段と、
この抽出された各汚染監視項目データ及び入出力関連項目データを、予め設定された初期汚染防止監視画面に所定の順序で順次登録していくことで汚染防止監視画面を作成する監視画面作成処理手段と
を備えたことを特徴とする環境監視支援装置。
【請求項２】
前記キーワード登録手段は、予め設定された初期キーワード登録画面を表示する初期画面表示手段と、この初期キーワード登録画面の登録個所を選択した後に入力される前記キーワードデータを順次登録することでキーワード登録画面を作成し記憶する画面作成記憶手段とを設けたことを特徴とする請求項１に記載の環境監視支援装置。
【請求項３】
請求項１又は請求項２に記載の環境監視支援装置において、
前記初期キーワード登録画面に設けられた登録・削除に関する編集ボタンと、この編集ボタンの操作のもとに、作成された前記キーワード登録画面に新たにキーワードデータを追加登録し、既に登録済みのキーワードデータを削除するデータ編集手段とを備えたことを特徴とする環境監視支援装置。
【請求項４】
請求項１ないし請求項３の何れか一項に記載の環境監視支援装置において、
前記初期汚染防止監視画面に設けられた登録・削除に関する編集ボタンと、この編集ボタンの操作のもとに、作成された前記汚染防止監視画面に新たに前記汚染監視項目データ及び当該汚染監視項目データに関連する入出力関連項目データを追加登録し、また既に登録されている前記汚染監視項目データ及び当該汚染監視項目データに関連する入出力関連項目データを削除する画面編集処理手段とを備えたことを特徴とする環境監視支援装置。
【請求項５】
前記複数の汚染監視項目データは、前記プラント施設から排出される大気汚染に関係する物質測定項目やプラント設備機器名に関するデータであり、前記入出力関連項目データは、前記物質測定項目データに関連する少なくとも現在値、監視上限値であり、前記プラント設備機器データに関連する少なくとも運転状態（運転・停止）、運転累積時間、故障回数であることを特徴とする請求項１又は請求項４に記載の環境監視支援装置。
【請求項６】
請求項１、請求項４及び請求項５の何れか一項に記載の環境監視支援装置において、
前記初期汚染防止監視画面の上部に形成される折れ線表示用画面領域と、前記複数の汚染監視項目の中から特定の汚染監視項目の入力指定に基づき、前記データ蓄積手段から当該汚染監視項目に対応する時系列的な大気汚染関係データを取り出し、前記折れ線表示用画面領域に折れ線グラフ表示する時系列変化データ表示手段とを備えたことを特徴とする環境監視支援装置。
【発明の詳細な説明】
【技術分野】
【０００１】
本発明の実施形態は、環境監視支援装置に関する。
【背景技術】
【０００２】
半導体製造プラント、紙パルプ製造プラントなど各種産業分野におけるプラント施設では、当該プラント施設から排出される大気汚染物質の排出量や濃度を監視するために監視装置が設置されている。
【０００３】
例えば、近年の半導体製造プラント施設では、半導体素子の高集積化に伴い、製造工程における塵埃による汚染の制御、大気中に含有される微量の汚染物質の制御が必要となる。そのため、大気中に含有する微量の汚染物質を連続して監視するために監視装置の設置が不可欠となっている。
【０００４】
また、プラント施設の中には、化石燃料などを燃焼して得られる蒸気・温水等を用いて自家発電を行う自家発電ボイラーと、化石燃料などの燃焼等により発生する排気ガスから窒素酸化物（ＮＯｘ）や硫黄酸化物（ＳＯｘ）を除去する例えば排煙脱硫装置を含む浄化装置とを設けているが、このようなプラント施設においても監視装置が設置されている。
【０００５】
ところで、大気汚染防止法においては、浄化装置を備えたプラント施設などのばい煙排出者に対し、一定の義務付けを行っている。すなわち、大気汚染防止法によれば、ばい煙排出者に対し、プラント施設から排出される汚染物質量又は汚染物質濃度を測定し、その測定結果を記録し地方自冶体に報告する義務を課している。
【０００６】
そこで、従来の監視装置は、プラント施設から排出される汚染物質量又は汚染物質濃度などの汚染物質排出値を測定してファイリングし、当該汚染物質排出値が監視上限値（排出基準値）を超えそうになったとき、監視者が施設全般を考慮しつつ燃料の燃焼方法を検討するとか、ばい煙発生元なる機器の運転能力を低下させたり、一時的に停止させるなどの処置を講じている。
【先行技術文献】
【特許文献】
【０００７】
【特許文献１】特開２００３−１６７９７７号公報
【特許文献２】特開２０１０−１０２５８９号公報
【発明の概要】
【発明が解決しようとする課題】
【０００８】
しかしながら、以上のような監視装置では、汚染物質量又は汚染物質濃度などの汚染物質排出値が監視上限値を超えそうになったとき、監視者が始めて必要な対策ないし処置を講じている。
【０００９】
その結果、監視者が対策ないし処置を講じている過程において、汚染物質排出値が監視上限値を超えてしまい、大気汚染防止法の義務規定に違反するとか、製品の生産性を低下させたり、施設自身の製造製品の品質にも影響を与える問題がある。
【００１０】
そこで、本環境監視支援装置は、大気汚染に関係する複数の汚染物質やプラント設備機器の運転状態など多面的に汚染監視項目を可視化表示し、大気汚染の状態が監視上限値を超えないように視覚的、予測先行的に把握可能にすることにある。
【課題を解決するための手段】
【００１１】
上記課題を解決するために、実施形態によれば、プラント施設から大気汚染に関係する大気汚染関係データを取り込んで蓄積するデータ蓄積手段と、前記プラント施設から排出される大気汚染に関係するキーワードデータを登録するキーワード登録手段と、複数の汚染監視項目データ及び当該各汚染監視項目データに関連する入出力関連項目データを記憶管理する汚染関係項目データ管理手段と、この汚染関係項目データ管理手段から前記登録された各キーワードデータと対応関係にある汚染監視項目データ及び入出力関連項目データを順次抽出する監視項目データ抽出手段と、この抽出された各汚染監視項目データ及び入出力関連項目データを、予め設定された初期汚染防止監視画面に所定の順序で順次登録していくことで汚染防止監視画面を作成する監視画面作成処理手段とを備えた環境監視支援装置である。
【図面の簡単な説明】
【００１２】
【図１】本環境監視支援装置の一実施形態を示す全体構成図。
【図２】汚染関係項目データ管理テーブルのデータ配置例を示す図。
【図３】登録するキーワードデータの例を示す図。
【図４】環境監視支援処理部の機能構成を示すブロック図。
【図５】環境監視支援処理部によって大気汚染キーワード登録画面を作成する処理手順を説明するフロー図。
【図６】作成された大気汚染キーワード登録画面の一例を示す図。
【図７】環境監視支援処理部によって大気汚染防止監視画面を作成する処理手順を説明するフロー図。
【図８】作成された大気汚染防止監視画面の一例を示す図。
【発明を実施するための形態】
【００１３】
以下、実施形態について、図面を参照して説明する。  
図１は一実施形態に係る環境監視支援装置を含む環境監視支援システムの全体構成を示す概念図である。
【００１４】
この環境監視支援システムは、工場，事業所等に設置されるプラント施設１にＬＡＮ，ＷＡＮ等の通信ネットワーク２を介して環境監視支援装置３が接続される。
【００１５】
プラント施設１は、各種燃料の燃焼や製品の製造過程等において大気汚染物質を発生するプラント設備１１の他、少なくとも大気汚染の関係するデータを取り込んで送信する例えばＰＬＣなどの簡易なコントローラ１２が設けられている。
【００１６】
プラント設備１１としては、少なくとも化石燃料などの燃焼等によって発生する排気ガスあるいは施設内の製品製造の過程で取り扱う揮発性有機化合物その他の環境有害物質の飛散または蒸発する蒸発ガスを浄化する浄化装置１３や大気汚染に関係する物質の排出量または排出濃度（以下、大気汚染関係データと総称する）を測定する例えばＮＯｘ計，ＳＯｘ計等の測定装置１４ａ，１４ｂ，…が設置される。
【００１７】
コントローラ１２は、所定の周期または環境監視支援装置３からのデータ収集指示に従い、各種の測定装置１４ａ，１４ｂ，…やプラント設備機器から大気汚染関係データを取り込み、測定装置１４ａ，１４ｂ，…やプラント設備機器のＩＤ（機器識別データ）及び測定時刻データとともに環境監視支援装置３に送信する。
【００１８】
なお、コントローラ１２は、大気汚染に関係するものであれば、特定の物質でなくても、例えば大気汚染に関係するプラント配管を流れる流量や圧力であっても、大気汚染関係データとして測定し収集する。
【００１９】
環境監視支援装置３は、例えばプラント施設１内または当該プラント施設１近傍あるいはプラント施設１から離れた遠方の何れかに設置され、プラント施設１から排出される大気汚染関係データを多面的に視覚認識可能に監視する機能を有する。
【００２０】
環境監視支援装置３は、モデム，ルータ等の通信部３１、必要なデータや制御指令を入力するキーボードやポインティングデバイス（例えばマウス）などの入力部３２、各種のデータを記憶する高記憶容量のハードディスクドライブなどのデータベース（補助記憶装置）３３、各種のプログラムを記憶するＲＯＭ等のプログラムデータ記憶部３４、ＣＰＵで構成される環境監視支援処理部３５及び表示部，印字部などを備えた出力装置３６を含む構成である。なお、出力装置３６は、以下説明の便宜上，表示部３６と総称する。
【００２１】
データベース３３には、少なくとも汚染関係項目データ記憶部３３ａ、キーワードデータ記憶部３３ｂ、画面データ記憶部３３ａ、データ蓄積部３３ｄが設けられている。
【００２２】
汚染関係項目データ記憶部３３ａには、図２に示すように例えば大気汚染に関係する一般的な汚染関係項目データ及び特定のプラント設備機器の中の大気汚染に影響を与える機器特有の汚染関係項目データを配列する汚染関係項目データ管理テーブル３３ａ１が設けられている。
【００２３】
汚染関係項目データ管理テーブル３３ａ１には、測定装置１４ａ，１４ｂ，…やプラント設備機器に関するＩＤ、大気汚染に関係する汚染監視項目及び当該汚染監視項目に関連する例えば単位−現在値−監視上限値−監視下限値等の入出力関連項目のデータが配列され、さらに汚染監視項目となるプラント設備機器及び当該プラント設備機に関連する入出力関連項目として、例えば運転状況（運転／停止）に関する情報、運転累積時間、故障回数、故障上限回数等が配列されている。
【００２４】
なお、ボイラーを備えているプラント設備１１では、ボイラー生成熱量や蒸気流量が大気汚染に影響を与えるボイラー機器特有の汚染監視項目として非常に重要な要素となる。
【００２５】
キーワードデータ記憶部３３ｂは、予めプラント設備１１から大気汚染に大きな影響を与えると思われるキーワードデータを登録しておく領域であって、例えば図３に示すように例えば測定装置１４ａ，１４ｂ，…やプラント設備機器に関するＩＤに連なるようにＮＯｘ，ＳＯｘ，ボイラー生成熱量，蒸気熱量等のキーワードデータが挙げられる。
【００２６】
画面データ記憶部３３ｃには、大気汚染に関係するキーワードデータを登録するための初期キーワード登録（編集）画面や大気汚染に関係するデータを表示するための初期大気汚染防止監視画面等の画面データの他、これら初期画面のもとに作成されるキーワード登録（編集）画面（図６参照）や大気汚染防止監視画面（図８参照）等の画面データが記憶される。
【００２７】
さらに、データ蓄積部３３ｄには、コントローラ１２、通信ネットワーク２及び環境監視支援処理部３５を介して、あるいはコントローラ１２を経ることなく直接測定装置１４ａ，１４ｂ，…やプラント設備機器、通信ネットワーク２及び環境監視支援処理部３５を介して、汚染物質排出量又は汚染物質排出濃度等の大気汚染関係データを取り込み、ＩＤ、測定時刻データに従って時系列的に汚染物質排出量又は汚染物質排出濃度等の大気汚染関係データが順次蓄積していく。
【００２８】
プログラムデータ記憶部３４には、キーワード登録画面作成用プログラム及び大気汚染防止監視画面作成用プログラムなどが格納される。
【００２９】
環境監視支援処理部３５としては、機能的には図４に示すように、大気汚染に関係するキーワードデータを登録するキーワード登録手段３５Ａと、この登録されたキーワードデータに従って汚染関係項目データ管理テーブル３３ａ１の全汚染関係項目データから汚染監視項目及び当該汚染監視項目に関連する入出力関連項目を抽出する汚染監視関連項目抽出手段３５Ｂと、抽出した汚染関連項目を用いて大気汚染監視画面を作成する監視画面作成処理手段３５Ｃとが設けられ、さらに、必要に応じて大気汚染監視画面を編集処理する画面編集処理手段３５Ｄが設けられる。
【００３０】
次に、以上のような環境監視支援システムの作用について説明する。
【００３１】
（１）  大気汚染関係データの蓄積処理について。
【００３２】
現場側のコントローラ１２は、所定の周期（例えば制御周期，演算周期）ごと、あるいは監視員による環境監視支援装置３からの収集指示に基づき、プラント設備１１に設置される測定装置１４ａ，１４ｂ，…やプラント設備１１を構成するプラント設備機器から大気汚染関係データを順次取り込み、測定装置１４ａ，１４ｂ，…やプラント設備機器等のＩＤ（機器識別データ）及び測定時刻データとともに環境監視支援装置３に送信する。
【００３３】
ここで、環境監視支援装置３は、通信部３１を介して受信される汚染監視項目に対応するＩＤ、測定時刻データとともに、大気汚染関係データを順次蓄積していく。
【００３４】
その後、オペレータは、監視したい汚染監視項目に対応するＩＤ及び必要に応じて測定期間を入力指定すれば、当該ＩＤ対応の汚染監視項目について、指定測定期間にわたって蓄積された大気汚染関係データを時系列的に読み出して表示部３６に表示することができる。
【００３５】
（２）  キーワード登録画面の作成処理について（図５参照）。
【００３６】
環境監視支援装置においては、プラント施設１及びプラント設備１１を考慮しつつ比較的大気汚染に影響を与えるキーワードデータを登録する必要がある。
【００３７】
そこで、環境監視支援装置３における環境監視支援処理部３５は、入力部３２からキーワード画面作成に関する制御指示を受けると、プログラムデータ記憶部３４からキーワード登録画面作成用プログラムを読み出し、適宜なワークメモリに移した後、図４に示すキーワード登録手段３５Ａを実行する。
【００３８】
キーワード登録手段３５Ａは、初期キーワード登録画面の読み出し指示有無を判断し（Ｓ１）、読み出し指示有りと判断したとき、画面データ記憶部３３ａから図６に示す初期キーワード登録画面４１´を読み出し、表示部３６に表示する（Ｓ２）。
【００３９】
キーワード登録手段３５Ａは、初期キーワード登録画面４１´を表示した後、入力部３２から初期キーワード登録画面４１´の登録個所（登録エリア）が選択指示されたか否かを判断し、登録個所指示有りと判断したとき、入力部３２から測定装置１４ａ，１４ｂ，…やプラント設備機器に関するＩＤのもとに例えば「ＮＯｘ（窒素酸化物）」のキーワードデータが入力する（Ｓ３）。
【００４０】
引き続き、キーワード登録手段３５Ａは、当該ＩＤのもとに「ＮＯｘ」なるキーワードデータが既に登録済みか否かを判断する（Ｓ４）。登録済みであれば、次の登録個所の選択指示有りかを判断し（Ｓ５）、選択指示有りの場合にはステップＳ３に戻って同様の処理を繰り返し実行する。
【００４１】
ステップＳ４において、「ＮＯｘ」なるキーワードデータが登録済みでない場合には、そのキーワードデータをキーワードデータ記憶部３３ｂに記憶するとともに、初期キーワード登録画面４１´の登録個所に該当ＩＤ及びこのＩＤに連ねてキーワード項目にキーワードデータ「ＮＯｘ」４２を登録し（Ｓ６）、かつ、初期キーワード登録画面４１´上にキーワードデータ「ＮＯｘ」を表示する（Ｓ７）。
【００４２】
さらに、キーワード登録手段３５Ａは、キーワードデータの登録継続を確認し（Ｓ８）、継続処理であれば、ステップＳ３に戻って同様の処理を繰り返し実行し、初期キーワード登録画面４１´から図６に示すキーワード登録（編集）画面４１を作成する。
【００４３】
従って、以上のように初期キーワード登録画面４１´にプラント施設１ないしプラント設備機器を考慮して複数の大気汚染に関係するキーワードデータを順次登録することにより、プラント施設１から排出される大気汚染に最も影響を与える汚染原因要素を多面的に登録することが可能である。
【００４４】
（３）  汚染防止監視画面の作成処理について（図７参照）。
【００４５】
環境監視支援装置３における環境監視支援処理部３５は、入力部３２から大気汚染防止監視画面作成に関する制御指示を受けると、プログラムデータ記憶部３４から大気汚染防止監視画面作成用プログラムを読み出し、適宜なワークメモリに移した後、図４に示す汚染監視関連項目抽出手段３５Ｂを実行する。
【００４６】
汚染監視関連項目抽出手段３５Ｂは、入力部３２から入力される初期汚染防止監視画面５１´の読み出し指示の有無を判断し（Ｓ１１）、読み出し指示有りと判断したとき、画面データ記憶部３３ａから図８に示す初期大気汚染防止監視画面５１´を読み出し、表示部３６に表示する（Ｓ１２）。
【００４７】
しかる後、汚染監視関連項目抽出手段３５Ｂは、キーワードデータ記憶部３３ｂ又はキーワード登録画面４１から既に登録済みのキーワードデータが存在するか否かを判断する（Ｓ１３）。キーワードデータが登録されている場合、登録順番に従う順位のキーワードデータ「例えばＮＯｘ」を読み出し、汚染関係項目データ管理テーブル３３ａ１を参照し、汚染関係項目データ管理テーブル３３ａ１にキーワードデータに対応する汚染監視項目が有るか否かを判定する（Ｓ１４）。
【００４８】
ここで、キーワードデータと一致する汚染監視項目「ＮＯｘ」があれば、汚染関係項目データ管理テーブル３３ａ１からＩＤ、該当汚染監視項目「ＮＯｘ」及び該当汚染監視項目に連なる単位−現在値−監視上限値−監視下限値等の入出力関連項目のデータを抽出し、データベース３３の適宜な領域などに一時記憶した後（Ｓ１５）、監視画面作成処理手段３５Ｃを実行する。
【００４９】
監視画面作成処理手段３５Ｃは、ＩＤ，汚染監視項目及び入出力関連項目を記憶した後、表示部３６に表示された初期大気汚染防止監視画面５１´の登録個所（登録エリア）に関する選択指示が入力されたか否かを判断し（Ｓ１６）、登録個所が入力指示されたと判断されたとき、当該初期大気汚染防止監視画面５１´の登録個所に所定の領域順位データに基づいて例えばＩＤ、「ＮＯｘ」なる汚染監視項目及び単位−現在値−監視上限値−監視下限値等の入出力関連項目のデータを順次登録していく（Ｓ１７）。
【００５０】
さらに、監視画面作成処理手段３５Ｃは、次順位のキーワードデータがあるか否かを判断し（Ｓ１８）、有りの場合にはステップＳ１４に戻って同様の処理を繰り返す。
【００５１】
そして、登録された全部のキーワードデータに対応する汚染監視項目や入出力関連項目を初期大気汚染防止監視画面５１´に登録し、図８に示す大気汚染防止監視画面５１を作成し、確認可能に表示部３６に表示する。
【００５２】
ところで、大気汚染防止監視画面５１には登録ボタン５２、削除ボタン５３及びコメント登録ボタン５４が設けられている。その結果、登録ボタン５２を選択して例えば大気汚染物質の排出と間接的に関係しているポンプなどを追加するとか、削除ボタン５３を選択し、長期間の監視結果に基づき該当プラント施設１から排出される大気汚染にほとんど影響を与えない汚染監視項目などがあれば削除することが望ましい。
【００５３】
さらに、コメント登録ボタン５４を選択し、入力部３２から必要なコメント（例えばプラント点検日，汚染監視項目に係る注意事項）を入力し、大気汚染防止監視画面５１の例えばコメント欄に記述することが考えられる。
【００５４】
そこで、環境監視支援処理部３５は、画面編集処理が必要な場合には図４に示す画面編集処理手段３５Ｄを実行する。
【００５５】
画面編集処理手段３５Ｄは、作成された大気汚染防止監視画面５１を表示した後、登録ボタン５２、削除ボタン５３、コメント登録ボタン５４の何れかが選択されたか判断し（Ｓ２０〜Ｓ２２）、登録ボタン５２が選択操作された場合には登録個所を選択し、ＩＤ、汚染監視項目及び入出力関連項目を順次登録していく（Ｓ２３）。また、削除ボタン５３を選択操作した後に削除個所を選択し、その選択された汚染監視項目等を削除する（Ｓ２４）。
【００５６】
さらに、コメント登録ボタン５４を選択操作した後に登録個所を選択し、必要なコメントを入力し登録する（Ｓ２５）。
【００５７】
なお、表示された大気汚染防止監視画面５１の登録個所を選択指定した後、登録ボタン５２、コメント登録ボタン５４等を操作し、汚染監視項目や登録コメントを入力し登録する処理を行ってもよい。
【００５８】
従って、以上のような大気汚染防止監視画面の作成処理によれば、大気汚染防止監視画面５１に一般的な汚染監視項目例えばＮＯｘ，ＳＯｘなどの他に、プラント施設１ないしプラント設備１１として設置される機器等から大気汚染に影響を与える特有の汚染監視項目例えばボイラー生成熱量，ファンなど多面的な方向から掲げ、それらの入出力関連項目を順次登録して視覚的に認識可能に表示している。
【００５９】
その結果、監視員は、多面的に登録された複数の汚染監視項目と入出力関連項目から、複数の汚染監視項目に関する大気汚染関係データ（現在値）が監視上限値（排出基準値）を超えそうとする傾向を視覚的、予測先行的に把握することが可能となり、事前に必要な対策や処置を講じ易い状況を提供することができる。
【００６０】
さらに、大気汚染防止監視画面５１を作成した後、プラント施設１ないしプラント設備１１の稼動状況に応じて特有の汚染監視項目が必要になったとき、編集処理により追加し、あるいは大気汚染に影響が少ない要素については随時削除などの変更も行うことができる。
【００６１】
（４）  キーワード登録画面の編集処理について（図６参照）。
【００６２】
前記（１）項に記載するキーワード登録画面の作成処理により、図６に示す大気汚染キーワード登録画面４１には、登録ボタン４３、削除ボタン４４が設けられている。その結果、大気汚染キーワード登録画面４１の登録個所を指定し、当該登録個所にＩＤ、キーワードデータの順序で入力し、登録ボタン４３を操作して画面登録するとか、あるいは逆に登録ボタン４３を操作した後、登録画面４１の登録個所を指定し、当該登録個所にＩＤ、キーワードデータの順序で入力し登録してもよい。
【００６３】
大気汚染キーワード登録画面４１に既に登録されているキーワードデータの削除についても、削除ボタン４４を選択操作して削除する編集処理を容易に行うことができる。
【００６４】
（その他の実施形態）
（１）  プラント施設１にコントローラ１２を設けたが、現場側の測定装置や設備機器の大気汚染関係データを取り込んで環境監視支援装置３に送信する機能を有するものであればよい。例えば、コントローラ１２に代えてデータ収集中継機器あるいはＩ／Ｏインタフェースなどを用いてもよい。
【００６５】
さらに、現場側の測定装置や設備機器からＬＡＮ等の通信ネットワーク２を介してコントローラ１２なしで直接環境監視支援装置３を接続した構成であってもよい。
【００６６】
（２）  上記実施形態では、データ蓄積部３３ｄにＩＤごとに時系列的に大気汚染関係データが時系列的に蓄積されているので、特定のＩＤによる汚染監視項目ごとに、表示部３２に横軸を期間とし、縦軸を測定値とする折れ線グラフを表示し、かつ、監視上限値をライン表示するようにすれば、特定の汚染監視項目に注目して変化傾向を迅速、かつ詳細に分析することができる。
【００６７】
（３）  環境監視支援装置３の表示部３２に大気汚染防止監視画面５１を表示したが、例えば当該大気汚染防止監視画面５１の上部に予め折れ線表示用画面領域を形成し、入力部３２から特定のＩＤまたは汚染監視項目を入力し、前記折れ線表示用画面領域内に横軸を期間軸、縦軸を汚染監視項目に関連する時系列的な大気汚染関係データを折れ線グラフ表示し、かつ、監視上限値をライン表示するようにしてもよい。
【００６８】
その結果、監視員は、大気汚染防止監視画面５１の汚染監視項目に関連するデータだけでなく、例えばプラント施設１の設備機器の中で最も注目する汚染監視項目を抽出し、折れ線グラフ表示することにより、大気汚染の悪化進行傾向を迅速、かつ詳細に分析することができる。
【００６９】
（４）  また、上記実施形態は、一例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００７０】
１…プラント施設、２…通信ネットワーク、３…環境監視支援装置、１１…プラント設備、１２…コントローラ、１４ａ，１４ｂ，…測定装置、３１…通信部、３２…入力部、３３…データベース、３３ａ…汚染関係項目データ記憶部、３３ａ１…汚染関係項目データ管理テーブル、３３ｂ…キーワードデータ記憶部、３３ｃ…画面データ記憶部、３３ｄ…収集データ蓄積部、３５…環境監視支援処理部、３５Ａ…キーワード登録手段、３５Ｂ…汚染監視関連項目抽出手段、３５Ｃ…監視画面作成処理手段、３５Ｄ…画面編集処理手段、３６…出力装置。
【図１】
2012168700.tif 000003
【図２】
2012168700.tif 000004
【図３】
2012168700.tif 000005
【図４】
2012168700.tif 000006
【図５】
2012168700.tif 000007
【図６】
2012168700.tif 000008
【図７】
2012168700.tif 000009
【図８】
2012168700.tif 000010